(57)【要約】      （修正有）【課題】密閉性が確保でき、構造が簡略で開閉操作が容易であり、収納物の取出し操作がやり易い調味料用容器を提供する。【解決手段】容器本体１０と容器本体１０の先端に開閉自在に枢着される蓋体２０と蓋体２０の内面に設けられた短筒２１の外周に密に嵌め込まれるリング形状の弾性材製枠体３０とを有し、閉蓋状態で容器本体１０上部内に密嵌入する弾性材製枠体３０の先端部に、容器本体１０先端上端に設けられた切欠き部１１内に嵌入係止し、且つ閉蓋状態で内方にＵ字形状に弾性変形する弾発舌片３１を、一体設した構成である。【選択図】図２
0003224146.tif 000002
【実用新案登録請求の範囲】
【請求項１】
容器本体（１０）と、該容器本体（１０）の先端に開閉自在に枢着される蓋体（２０）と、該蓋体（２０）の内面に設けられた短筒（２１）の外周に密に嵌め込まれるリング形状の弾性材製枠体（３０）とを有し、
閉蓋状態で前記容器本体（１０）上部内に密嵌入する前記弾性材製枠体（３０）の先端部に、前記容器本体（１０）先端上端に設けられた切欠き部（１１）内に嵌入係止し、且つ閉蓋状態で内方にＵ字形状に弾性変形する弾発舌片（３１）を、一体設したことを特徴とする調味料用容器。
【請求項２】
弾発舌片（３１）の外面に、開蓋状態で容器本体（１０）の先端部が弾接するストッパー部（３２）を膨設したことを特徴とする請求項１に記載の調味料収納容器。
【請求項３】
容器本体（１０）の基端上端外面に、先端部が閉蓋状態の蓋体（２０）の基端部内面に面接するレバー（４０）を、回動自在に枢着したことを特徴とする請求項１または請求項２に記載の調味料用容器。
【請求項４】
容器本体（１０）の基端部外面に把手（１４）を設けたことを特徴とする請求項１または請求項２または請求項３に記載の調味料用容器。
【請求項５】
容器本体（１０）の基端部内上部に摺り切りプレート（５０）を架設したことを特徴とする請求項１または請求項２または請求項３または請求項４に記載の調味料用容器。
【請求項６】
容器本体（１０）の筒壁（１２）の上部に周方向に沿って満量線を設けたことを特徴とする請求項１または請求項２または請求項３または請求項４または請求項５に記載の調味料用容器。
【考案の詳細な説明】
【技術分野】
【０００１】
本考案は、調味料を収納する容器に関するものである。
【背景技術】
【０００２】
食料、或いは砂糖、塩などの粉粒状の調味料を収納する容器にあっては、食品などの品質を維持するために密閉性が要求され、そのため容器本体と蓋体との間に弾性材製のシール材を配する構成が一般である。しかしながら密閉性を確保しようとすると容器本体と蓋体との嵌合がきつくなり、蓋体にかけた指が滑って開けにくくなる問題もある。
【０００３】
この点を配慮して、容器本体に蓋体を枢着してレバーを押して開く構成の製品が提案されている。例えば図１で示した容器はその典型で、容器本体１の基端（手元）に枢着された蓋体２を、把手３を把持してレバー２を押し下げることによりワンタッチで開くものである。しかしながらこの構成では、収納物を取り出す際に常に開蓋状態を維持するためにレバー４を持続して押し下げていなければならず、また蓋体２が手前側に立ち上がって開いているので蓋体２が取り出し操作の邪魔になるといった不都合がみられた。
このような点の対処として、従来以下のような提案がなされている。
【先行技術文献】
【特許文献】
【０００４】
【特許文献１】特開２０１０−１１６１９８
【特許文献２】特開２０１１−１３１９３０
【考案の概要】
【考案が解決しようとする課題】
【０００５】
特許文献１の発明「開閉自在容器」及び特許文献２の発明「ワンタッチ開閉キャップ」は、共に容器本体の先端側（奥側）に枢着された蓋体を基端である手前側のレバーを操作することにより弾発力を介して開くものであり、開閉が容易で開蓋状態を維持することができる。しかしながら弾発力を付与するための構造が複雑であり、そのため、食品を収納する容器として清潔性を維持するために必須である洗浄メンテナンスが難しいといった不満がある。
【０００６】
よって本考案は、上述した従来技術の不都合、不満を解消するべく考案されたものであって、密閉性が確保でき、構造が簡略で開閉操作が容易であり、収納物の取出し操作がやり易い調味料用容器を提供することにある。
【課題を解決するための手段】
【０００７】
上記課題を解決するため、本考案の調味料用容器は、容器本体と、この容器本体の先端に開閉自在に枢着される蓋体と、この蓋体の内面に設けられた短筒の外周に密に嵌め込まれるリング形状の弾性材製枠体とを有し、
閉蓋状態で前記した容器本体上部内に密嵌入する前記した弾性材製枠体の先端部に、前記した容器本体先端上端に設けられた切欠き部内に嵌入係止し、且つ閉蓋状態でＵ字形状に内方に弾性変形する弾発舌片を、一体設したことを特徴とする構成である。
【０００８】
また、弾発舌片の外面に、開蓋状態で蓋体の先端面が弾接するストッパー部を膨設したことを特徴とする構成である。
【０００９】
更には、容器本体の基端上端外面に、先端部が閉蓋状態の蓋体の基端部内面に面接するレバーを、回動自在に枢着したことを特徴とする構成である。
【００１０】
容器本体の基端部外面に把手を設ける。
【００１１】
容器本体の基端部内上部に摺り切りプレートを架設する。
【００１２】
容器本体の筒壁の上部に周方向に沿って満量線を設ける。
【考案の効果】
【００１３】
従って容器本体に開閉自在に枢着された蓋体の閉蓋状態では、容器本体の上部内面に、蓋体の内面に設けられた短筒に外装された弾性材製枠体の外周面が密着し、容器本体の密閉が確実に達成される。
【００１４】
そして閉蓋状態で蓋体の手前側である基端を押し上げると、容器本体の上部内面と弾性材製枠体の外周面との密着が解かれるので、容器本体先端上端の切欠き部内に内方にＵ字形状で弾性変形していた弾性材製枠体の弾発舌片が弾性復帰し、その弾発力により蓋体が開くことになる。
【００１５】
ここでは蓋体を開くための弾発舌片は弾性材製枠体の先端部分に一体設されているので、部材を少なくすることができる。
【００１６】
また、弾発舌片の外面にはストッパー部が膨設されてあり、開蓋状態では蓋体の先端面がこのストッパー部に弾接して、それ以上の開蓋回動が防がれる。即ち蓋体は、弾発舌片の弾性復帰の弾発力により緩やかに且つスムーズに開蓋動作を所定の開口量までとるのである。
【００１７】
更には、容器本体の基端上端外面に回動自在に枢着されたレバーは、その先端部が閉蓋状態の蓋体の基端部内面に面接しているので、このレバーの先端部を押し下げるように回動させれば、閉蓋状態の蓋体を簡単に押し上げることができる。
【００１８】
容器本体の基端部外面に把手を設けておけば、開蓋の際、この把手を握って親指をレバーに掛けることができるので操作し易い。
【００１９】
容器本体の基端部内上部に摺り切りプレートを架設しておくと、収納した粉粒体をスプーンで取り出す際、摺り切りプレートのエッジ部分でスプーンに盛り上がった粉粒体を摺り切ることができ、正確な分量をすくい出すことができる。また、粉粒体と共に容器内に収納しているスプーンをこのプレート部分に立てかけておけば、取り出し易いし衛生的でもある。
【００２０】
容器本体の筒壁の上部に周方向に沿って満量線を設けておけば、粉粒体を補充する際の目安となる。
【００２１】
従って本考案によれば、容器の密閉が確実に達成されながらも開閉操作が円滑且つ容易であり、部材が少ないので取り扱いが便利で経済的で、分解できるので清掃が容易である等、多くの優れた作用効果を奏する。
【図面の簡単な説明】
【００２２】
【図１】従来例の斜視図であって、（ａ）は閉蓋状態、（ｂ）は開蓋状態である。
【図２】本考案の分解斜視図である。
【図３】本考案の斜視図であって、（ａ）は分解した開蓋状態、（ｂ）は組み立てた開蓋状態である。
【図４】（ａ）は本考案の閉蓋状態の斜視図、（ｂ）は本考案の閉蓋状態の中央断面図である。
【図５】本考案の開蓋状態の中央断面図である。
【図６】本考案の閉蓋状態の部分拡大中央断面図であって、（ａ）は基端部、（ｂ）は先端部である。
【図７】本考案の開蓋状態の部分拡大中央断面図であって、（ａ）は基端部、（ｂ）は先端部である。
【図８】（ａ）は蓋体先端部の部分拡大中央断面図、（ｂ）は容器本体先端部の部分拡大中央断面である。
【考案を実施するための形態】
【００２３】
本考案の調味料用容器は、容器本体１０と、この容器本体１０の先端に開閉自在に枢着される蓋体２０と、この蓋体２０の内面に設けられた短筒２１の外周に密に嵌め込まれるリング形状の弾性材製枠体３０とから構成される。容器本体１０の先端上端には切欠き部１１が設けられ、弾性材製枠体３０の先端部には、前記した切欠き部１１内に嵌入係止し、且つ閉蓋状態でＵ字形状に内方に弾性変形する弾発舌片３１が一体設されている。
【００２４】
また、弾発舌片３１の外面に、開蓋状態で蓋体２０の先端面が弾接するストッパー部３２を膨設する。
【００２５】
更には、容器本体１０の基端上端外面に、先端部が閉蓋状態の蓋体２０の基端部内面に面接するレバー４０を、回動自在に枢着する。
【００２６】
容器本体１０の基端部外面に把手１４を設け、容器本体１０の基端部内上部に摺り切りプレート５０を架設し、容器本体１０の筒壁１２の上部に周方向に沿って満量線１８を設ける。
【実施例】
【００２７】
砂糖、塩などの粉粒状の調味料を収納する合成樹脂製の容器本体１０は、筒壁１２の下端に底壁１３を連設した有底筒形状で、平面視では基端側及び先端側を短辺とする略長方形状となっており、筒壁１２の短辺に相当する手前側である基端面には把手１４が連設され、基端上端の中央部に挿入凹部１５が切り欠かれ、更にこの挿入凹部１５に対応する前記した把手１４の上端面には軸ピン１６が横架一体設されている。
【００２８】
これに対向し、筒壁１２の短辺に相当する奥側である先端上端には前記したように切欠き部１１が設けられているが、この切欠き部１１両端の筒壁１２外面には一対のブレイド１７が突設され、且つこの両ブレイド１７間の下端間は切欠き部１１の底面部が延出していて庇状となっている。
【００２９】
容器本体１０の基端部内上部に嵌め込んで架設される摺り切りプレート５０は先端方向に向かって下降傾斜しており、スプーン６０が立てかけ易くなっている。
【００３０】
合成樹脂製の蓋体２０は容器本体１０の上端に乗載する平板形状で、前記したようにその内面には閉蓋状態で容器本体１０内に遊嵌する短筒２１が設けられており、先端側には容器本体１０の先端よりも突出する形態で組み付け壁２２が垂下設され、更にこの組み付け壁２２の中央には組み付け凹部２３が設けられている。
【００３１】
そこで、蓋体２０の組み付け凹部２３の両端面を容器本体１０の一対のブレイド１７の外面に夫々面接させて嵌め込み、この組み付け凹部２３の端面とブレイド１７とを夫々軸連結（図示省略）することにより枢着して、容器本体１０と蓋体２０とを開閉自在に組み付けるのである（図４ａ参照）。
【００３２】
弾性材製枠体３０はシリコン等の弾力性に富んだ部材で成形され、蓋体２０の内面に設けられた短筒２１の外周に密に嵌め込まれるリング形状で、弾性材製枠体３０の外周には突条３３が周設されている。閉蓋状態ではこの突条３３の外周面が容器本体１０の上部内面に密接して密閉状態を維持するのであるが、開閉時にこの突条３３が適度に弾性変形することにより、開閉動作の円滑性を確保し且つ密閉性を達成するのである。
【００３３】
弾性材製枠体３０の先端部には前述したように弾発舌片３１が延出一体設される。弾性材製枠体３０を蓋体２０の短筒２１の外周に密に嵌め込み、容器本体１０と蓋体２０とを枢着組み付けした状態では、弾発舌片３１はその先端部が容器本体１０の筒壁１２の前記した庇状の切欠き部１１内に嵌入係止位置し、先端が容器本体１０の基端方向に弾性屈曲している（図６ｂ、図７ｂ参照）。従って閉蓋状態では、図６ｂで明らかなようにＵ字形状に内方に弾性変形しているのである。
【００３４】
そして蓋体２０の基端部を押し上げて容器本体１０との密着を解くと弾発舌片３１は弾性復帰し、開蓋状態となる。この場合、蓋体２０が開き過ぎない（適度の開蓋姿勢にする）ために、弾発舌片３１の外面にストッパー部３２を膨設する。即ち、開蓋状態で蓋体２０の先端面がこのストッパー部３２に弾接するのである（図７ｂ参照）。この弾接を緩やかに且つクッション性をも持たせるため、蓋体２０の先端面をテーパー壁２４としておくと良いであろう。
【００３５】
容器本体１０の基端上端外面に回動自在に枢着されるレバー４０は、前記した容器本体１０の軸ピン１６の両端に軸支される押下げ部４１の先端に段差を介して肉薄な押上げ部４２を連設した構造で、押上げ部４２は、容器本体１０の筒壁１２の基端上端中央部に切り欠かれた挿入凹部１５内に挿入され、閉蓋状態の蓋体２０の基端部内面に面接する。従って、閉蓋状態で押し下げ部４１を押し下げ回動させれば、押上げ部４２は蓋体２０の基端部を押し上げるのである。
【符号の説明】
【００３６】
１０  容器本体
１１  切欠き部
１２  筒壁
１３  底壁
１４  把手
１５  挿入凹部
１６  軸ピン
１７  ブレイド
１８  満量線
２０  蓋体
２１  短筒
２２  組み付け壁
２３  組み付け凹部
２４  テーパー壁
３０  弾性材製枠体
３１  弾発舌片
３２  ストッパー部
３３  突条
４０  レバー
４１  押下げ部
４２  押上げ部
５０  摺り切りプレート
６０  スプーン
【図１】
0003224146.tif 000003
【図２】
0003224146.tif 000004
【図３】
0003224146.tif 000005
【図４】
0003224146.tif 000006
【図５】
0003224146.tif 000007
【図６】
0003224146.tif 000008
【図７】
0003224146.tif 000009
【図８】
0003224146.tif 000010